(57)【要約】【課題】安定してディスクトレイを開閉できる光ディスク装置を提供する。【解決手段】左右方向にスライド移動可能なカムスライダ４の上面には、上方に向けて突出する左右に一対の第１、第２の凸軸４２、４３が設けられ、ディスクトレイ３の下面には、第１、第２の凸軸４２、４３がそれぞれ係合する第１、第２の案内溝３２、３３が設けられる。第２の案内溝３３は、トレイ３が収納位置にあるときに第２の凸軸４３が係合する左右方向溝３３ａ、及び、左右方向溝３３ａの端から斜め後方へ延び出して開放されトレイ３が収納位置近傍にあるときに第２の凸軸４３が係合する傾斜溝３３ｂより成る。左右方向溝３３ａの後方に、トレイ３の下面から突出する突部３６を設ける。カムスライダ４の上面から突出し、トレイ３が収納位置にあるときに先端部が後方より突部３６を宛がわれる突片４４を設ける。【選択図】図４
2007164854.tif 000002
【特許請求の範囲】
【請求項１】
メインシャーシと、
このメインシャーシ内に収納された収納位置と前記メインシャーシの前面から突出した突出位置との間を前後方向に進退するディスクトレイと、
このディスクトレイ上に載置されて前記メインシャーシ内に収納された光ディスクの下面に対し、前記メインシャーシに支持された後部を支点に回動して昇降するトラバースシャーシと、
前記メインシャーシの前部で左右方向にスライド移動可能に前記メインシャーシに支持され、左右方向へのスライド移動によって前記トラバースシャーシを昇降させるカムスライダと、を含む光ディスク装置であって、
前記カムスライダの上面には、上方に向けて突出する左右に一対の第１、第２の凸軸が設けられ、
前記ディスクトレイの下面には、
前記ディスクトレイが前記収納位置にあるときに前記第１の凸軸が係合する左右方向溝、この左右方向溝の端から斜め後方へ延び出し前記ディスクトレイが前記収納位置近傍にあるときに前記第１の凸軸が係合する傾斜溝、及び、この傾斜溝の端に連続し前記ディスクトレイが進退するときに前記第１の凸軸が係合する前後方向溝、より成る第１の案内溝と、
前記ディスクトレイが前記収納位置にあるときに前記第２の凸軸が係合する左右方向溝、及び、この左右方向溝の端から斜め後方へ延び出して開放され前記ディスクトレイが前記収納位置近傍にあるときに前記第２の凸軸が係合する傾斜溝、より成る第２の案内溝と、がそれぞれ設けられた光ディスク装置において、
前記第２の案内溝における前記左右方向溝の後方に、前記ディスクトレイの下面から突出する突部が前記ディスクトレイと一体成形されており、
前記カムスライダの上面から突出して後方へ折れ曲がり、前記ディスクトレイが前記収納位置にあるときに先端部が後方より前記突部を宛がわれる突片が前記カムスライダと一体成形されていることを特徴とする光ディスク装置。
【請求項２】
メインシャーシと、
このメインシャーシ内に収納された収納位置と前記メインシャーシの前面から突出した突出位置との間を前後方向に進退するディスクトレイと、
このディスクトレイ上に載置されて前記メインシャーシ内に収納された光ディスクの下面に対し、前記メインシャーシに支持された後部を支点に回動して昇降するトラバースシャーシと、
前記メインシャーシの前部で左右方向にスライド移動可能に前記メインシャーシに支持され、左右方向へのスライド移動によって前記トラバースシャーシを昇降させるカムスライダと、を含む光ディスク装置であって、
前記カムスライダの上面には、上方に向けて突出する左右に一対の第１、第２の凸軸が設けられ、
前記ディスクトレイの下面には、
前記ディスクトレイが前記収納位置にあるときに前記第１の凸軸が係合する左右方向溝、この左右方向溝の端から斜め後方へ延び出し前記ディスクトレイが前記収納位置近傍にあるときに前記第１の凸軸が係合する傾斜溝、及び、この傾斜溝の端に連続し前記ディスクトレイが進退するときに前記第１の凸軸が係合する前後方向溝、より成る第１の案内溝と、
前記ディスクトレイが前記収納位置にあるときに前記第２の凸軸が係合する左右方向溝、及び、この左右方向溝の端から斜め後方へ延び出して開放され前記ディスクトレイが前記収納位置近傍にあるときに前記第２の凸軸が係合する傾斜溝、より成る第２の案内溝と、がそれぞれ設けられていて、
前記第１、第２の案内溝のうちの少なくとも一方における前記左右方向溝の後方に、前記ディスクトレイの下面から突出する突部を設けており、
前記カムスライダの上面から突出し、前記ディスクトレイが前記収納位置にあるときに先端部が後方より前記突部を宛がわれる突片を設けたことを特徴とする光ディスク装置。
【請求項３】
前記突片が後方へ折れ曲がっていることを特徴とする請求項２に記載の光ディスク装置。
【請求項４】
前記突部が前記ディスクトレイと一体成形されており、前記突片が前記カムスライダと一体成形されていることを特徴とする請求項２又は３に記載の光ディスク装置。
【発明の詳細な説明】
【技術分野】
【０００１】
本発明は、情報記録媒体であるＣＤやＤＶＤ等の光ディスクに対して情報の再生や記録を行う光ディスク装置に関する。
【背景技術】
【０００２】
一般に、光ディスク装置は、クランプした光ディスクを回転させ、その光ディスクの記録面にレーザー光を出射してその記録面上に情報を書き込んだり（記録）、更に光ディスクの記録面で反射したレーザー光を受光してその記録面上の情報を読み取ったり（再生）するものであり、大きくは、図６〜図８に示すように、固定のメインシャーシ１と、可動のトラバースシャーシ２とから外形が構成される（例えば特許文献１参照）。メインシャーシ１には、ディスクトレイ３がその両側部を支持されて前後方向に進退可能になっている。そして、メインシャーシ１の前面から突出した突出位置にディスクトレイ３が引き出されてその上に光ディスクが載置され（図６参照）、そのディスクトレイ３がメインシャーシ１内に収納された収納位置に送り込まれることによって、メインシャーシ１内に光ディスクが収納される（図７参照）。
【０００３】
トラバースシャーシ２は、メインシャーシ１に対して後部を支持され、その支持部を支点に回動可能になっている。トラバースシャーシ２は、光ディスクが収納されたメインシャーシ１に対して回動することで、その光ディスクの記録面となる下面に対して接近／離間移動するように上昇／下降（昇降）し、最上昇した状態で光ディスクがクランプされる。
【０００４】
ここでのトラバースシャーシ２の回動は、以下に示すような構成によって行われる。トラバースシャーシ２の前端には、前方に突出する円柱状の突起が設けられている。一方メインシャーシ１の前部には、トラバースシャーシ２の前端の前方に、カム溝を有するカムスライダ４が左右方向にスライド移動可能に支持されている。そのカムスライダ４のカム溝に、トラバースシャーシ２の上記突起が係合している。そして、カムスライダ４のスライド移動に従って上記突起がカム溝に沿って案内され、これによりトラバースシャーシ２が回動する。つまり、トラバースシャーシ２の回動は、カムスライダ４のスライド移動に従って行われる。
【０００５】
ここでのカムスライダ４のスライド移動の駆動は、以下に示すような構成によってなされる。トラバースシャーシ２には、モータが搭載されるとともに、そのモータからギア列を介して駆動力が与えられる駆動ギア６が軸支されている。一方メインシャーシ１には、その駆動ギア６と噛合う従動ギア７が軸支されている。また、カムスライダ４の端部には、スライド移動の方向（左右方向）に延在するラック４１が形成されている。
【０００６】
そして、上記モータから駆動ギア６に駆動力が与えられて、互いに噛合う駆動ギア６と従動ギア７とが回転し、その回転する従動ギア７にカムスライダ４のラック４１が噛合うことによって、カムスライダ４がスライド移動するようになる。こうして、カムスライダ４がスライド移動し、そのスライド移動に従いトラバースシャーシ２が昇降する。その際、駆動ギア６は、従動ギア７と互いに噛合いつつ摺動しながら、トラバースシャーシ２と共に昇降する。
【０００７】
また、トラバースシャーシ２には、光ディスクの記録面に記録されている情報を読み取ったり、その記録面に情報を書き込んだりするための光ヘッド５が搭載されている。光ヘッド５は、トラバースシャーシ２に支持され、光ディスクの記録面に沿う径方向（図６では前後方向）に往復移動するようになっている。
【０００８】
ここでの光ヘッド５の移動の駆動は、トラバースシャーシ２に搭載されている上記モータからの駆動力によって行われる。光ヘッド５の側部にはスライドラック５１が取り付けられており、そのスライドラック５１に、トラバースシャーシ２に軸支されて上記モータからの駆動力が伝達される伝達ギア８が噛合うことにより、その伝達ギア８の回転に従い光ヘッド５が移動する。その際、トラバースシャーシ２が最上昇した状態であり、カムスライダ４のラック４１と上記従動ギア７との噛合いが外れている。
【０００９】
また、上記モータからの駆動力は、ディスクトレイ３の進退移動にも活用される。ディスクトレイ３には、その側部の下面に前後方向に延在するトレイ用ラック３１が設けられ、一方メインシャーシ１には、上記モータからの駆動力が上記駆動ギア６を介して与えられる上記従動ギア７と一体で同心状のトレイ用伝達ギア９が軸支されている。そして、ディスクトレイ３のトレイ用ラック３１にトレイ用伝達ギア９が噛合うことにより、そのトレイ用伝達ギア９の回転に従いディスクトレイ３が前後方向に移動する。その際、トラバースシャーシ２が最下降した状態であり、カムスライダ４のラック４１と上記従動ギア７との噛合いが外れている。また、ディスクトレイ３がメインシャーシ１内の収納位置にあるときには、ディスクトレイ３のトレイ用ラック３１とトレイ用伝達ギア９との噛合いが外れる。
【００１０】
なお、トラバースシャーシ２には、トラバースシャーシ２が最上昇した状態で光ディスクをクランプして回転させるために、光ディスクの中心付近をクランプするターンテーブルや、このターンテーブルに回転力を与えるスピンドルモータが搭載されている。
【００１１】
ところで、記録や再生を終えた光ディスクをメインシャーシ１から取り出そうとする場合、先ずトラバースシャーシ２を最上昇した状態から下降させようとするが、その際、カムスライダ４のラック４１と従動ギア７との噛合いが外れていることから、両者を先ず噛合わせる必要がある。そのため、光ヘッド５の移動を司るスライドラック５１を若干量前方に移動させ、これにより、そのスライドラック５１の前端部とカム係合されているカムスライダ４が若干量左右方向にスライド移動して、カムスライダ４のラック４１と従動ギア７とが噛合う。そして、従動ギア７の回転に従ってカムスライダ４がスライド移動し、そのスライド移動に従いトラバースシャーシ２が下降する。
【００１２】
トラバースシャーシ２が最下降すると、今度はディスクトレイ３を前方へ移動させようとするが、その際、ディスクトレイ３のトレイ用ラック３１とトレイ用伝達ギア９との噛合いが外れていることから、両者を先ず噛合わせる必要がある。そのため、カムスライダ４のスライド移動に従ってディスクトレイ３を若干量前方に移動させ、これにより、ディスクトレイ３のトレイ用ラック３１とトレイ用伝達ギア９とを噛合うようにしている。これを実現するための具体的な構成を以下に示す。
【００１３】
カムスライダ４の上面には、上方に向けて突出する左右に一対の第１の凸軸４２、第２の凸軸４３が設けられている。他方、ディスクトレイ３の下面には、それぞれ第１の凸軸４２、第２の凸軸４３に対応する第１の案内溝３２、第２の案内溝３３が設けられている。第１の案内溝３２は、左右方向溝３２ａ、この左右方向溝３２ａの端から斜め後方へ延び出す傾斜溝３２ｂ、及び、この傾斜溝３２ｂの端に連続し後方へ延び出す前後方向溝３２ｃ、より成り、ディスクトレイ３の下面から突出する一対の突条３４同士の間によって形成される。第２の案内溝３３は、左右方向溝３３ａ、及び、この左右方向溝３３ａの端から斜め後方へ延び出して開放された傾斜溝３３ｂ、より成り、第１の案内溝３２と同様に、ディスクトレイ３の下面から突出する一対の突条３５同士の間によって形成される。ここでの第１の案内溝３２の形状と第２の案内溝３３の形状は、第１の案内溝３２に前後方向溝３２ｃがあること以外は同じである。
【００１４】
ディスクトレイ３が収納位置にあるときには、第１の凸軸４２、第２の凸軸４３がそれぞれ第１の案内溝３２の左右方向溝３２ａ、第２の案内溝３３の左右方向溝３３ａに係合しており、トラバースシャーシ２が下降する際、カムスライダ４のラック４１と噛合った従動ギア７の回転に従って、第１、第２の凸軸４２、４３がそれぞれ左右方向溝３２ａ、３３ａに沿って案内されながら、カムスライダ４がスライド移動する。そのまま従動ギア７の回転に従ってカムスライダ４がスライド移動すると、第１の凸軸４２、第２の凸軸４３がそれぞれ第１の案内溝３２の傾斜溝３２ｂ、第２の案内溝３３の傾斜溝３３ｂに到達して係合する。
【００１５】
更に従動ギア７の回転に従ってカムスライダ４がスライド移動すると、第１、第２の凸軸４２、４３がそれぞれ傾斜溝３２ｂ、３３ｂに沿って案内され、これにより、ディスクトレイ３が収納位置から次第に前方に移動し、ディスクトレイ３のトレイ用ラック３１とトレイ用伝達ギア９とが噛合う（図８参照）。トレイ用ラック３１とトレイ用伝達ギア９とが噛合うと、カムスライダ４のラック４１と従動ギア７との噛合いが外れる。
【００１６】
そして、今度はトレイ用ラック３１と噛合ったトレイ用伝達ギア９の回転に従って、ディスクトレイ３が前方に移動していく。その際、第１、第２の凸軸４２、４３がそれぞれ傾斜溝３２ｂ、３３ｂに沿って案内されてカムスライダ４が更にスライド移動した後、第１の凸軸４２は第１の案内溝３２の前後方向溝３２ｃに到達して係合し、第２の凸軸４３は第２の案内溝３３から外れる。更にトレイ用伝達ギア９の回転に従って、第１の凸軸４２が前後方向溝３２ｃに沿って案内されながら、ディスクトレイ３が前方に移動して突出位置に至る。これで光ディスクを着脱できる。
【００１７】
一方、ディスクトレイ３を突出位置から収納位置に送り込もうとする場合は、上記とは逆の動作が行われる。つまり、トレイ用ラック３１と噛合ったトレイ用伝達ギア９の回転に従って、ディスクトレイ３が後方に移動していく。その際、第１の凸軸４２が第１の案内溝３２の前後方向溝３２ｃに沿って案内され、続いて、第１の凸軸４２が第１の案内溝３２の傾斜溝３２ｃに到達して係合するとともに、第２の凸軸４３が第２の案内溝３３の傾斜溝３３ｃに到達して係合する。
【００１８】
更にトレイ用伝達ギア９の回転に従ってディスクトレイ３が後方に移動すると、第１、第２の凸軸４２、４３がそれぞれ傾斜溝３２ｂ、３３ｂに沿って案内され、これにより、カムスライダ４がスライド移動し、カムスライダ４のラック４１と従動ギア７とが噛合う。カムスライダ４のラック４１と従動ギア７とが噛合うと、トレイ用ラック３１とトレイ用伝達ギア９との噛合いが外れる。
【００１９】
そして、今度は従動ギア７の回転に従ってカムスライダ４がスライド移動していく。その際、第１、第２の凸軸４２、４３がそれぞれ傾斜溝３２ｂ、３３ｂに沿って案内された後、それぞれ第１の案内溝３２の左右方向溝３２ａ、第２の案内溝３３の左右方向溝３３ａに到達して係合する。これでディスクトレイ３が収納位置に至る。
【００２０】
更に従動ギア７の回転に従ってカムスライダ４がスライド移動すると、第１、第２の凸軸４２、４３がそれぞれ左右方向溝３２ａ、３３ａに沿って案内されながら、トラバースシャーシ２が上昇する。トラバースシャーシ２が最上昇する状態までカムスライダ４がスライド移動すると、カムスライダ４のラック４１と従動ギア７との噛合いが外れる。これで記録や再生に移行できる。
【特許文献１】特開２００５−７１４２０号公報
【発明の開示】
【発明が解決しようとする課題】
【００２１】
しかし、上記した光ディスク装置では、以下のような問題が起こることがある。記録／再生中や停機中のようにトラバースシャーシ２が最上昇した状態でカムスライダ４のラック４１と従動ギア７との噛合いが外れ、ディスクトレイ３がメインシャーシ１内の収納位置にある状態では、図６及び図９に示すように、正規の状態として、第１の凸軸４２、第２の凸軸４３がそれぞれ第１の案内溝３２の左右方向溝３２ａ、第２の案内溝３３の左右方向溝３３ａに係合している。ここでディスクトレイ３を強引に引き出す等乱雑な取扱いを受けることがあり、その場合、図１０に示すように、ディスクトレイ３が引き出す方向（前方）に無理に移動させられる。
【００２２】
すると、第１の凸軸４２や第２の凸軸４３が、それぞれ第１の案内溝３２を形成する突条３４や第２の案内溝３３を形成する突条３５を乗り越えて、その第１の案内溝３２の左右方向溝３２ａや第２の案内溝３３の左右方向溝３３ａから不用意に外れてしまうことがある。その結果、ディスクトレイ３の開閉不能に陥る。
【００２３】
そこで本発明は、上記の問題に鑑みてなされたものであり、安定してディスクトレイを開閉できる光ディスク装置を提供することを目的とするものである。
【課題を解決するための手段】
【００２４】
上記目的を達成するため、本発明による光ディスク装置は、メインシャーシと、このメインシャーシ内に収納された収納位置と前記メインシャーシの前面から突出した突出位置との間を前後方向に進退するディスクトレイと、このディスクトレイ上に載置されて前記メインシャーシ内に収納された光ディスクの下面に対し、前記メインシャーシに支持された後部を支点に回動して昇降するトラバースシャーシと、前記メインシャーシの前部で左右方向にスライド移動可能に前記メインシャーシに支持され、左右方向へのスライド移動によって前記トラバースシャーシを昇降させるカムスライダと、を含む光ディスク装置である。前記カムスライダの上面には、上方に向けて突出する左右に一対の第１、第２の凸軸が設けられ、前記ディスクトレイの下面には、前記ディスクトレイが前記収納位置にあるときに前記第１の凸軸が係合する左右方向溝、この左右方向溝の端から斜め後方へ延び出し前記ディスクトレイが前記収納位置近傍にあるときに前記第１の凸軸が係合する傾斜溝、及び、この傾斜溝の端に連続し前記ディスクトレイが進退するときに前記第１の凸軸が係合する前後方向溝、より成る第１の案内溝と、前記ディスクトレイが前記収納位置にあるときに前記第２の凸軸が係合する左右方向溝、及び、この左右方向溝の端から斜め後方へ延び出して開放され前記ディスクトレイが前記収納位置近傍にあるときに前記第２の凸軸が係合する傾斜溝、より成る第２の案内溝と、がそれぞれ設けられており、次の点を特徴とする。前記第２の案内溝における前記左右方向溝の後方に、前記ディスクトレイの下面から突出する突部が前記ディスクトレイと一体成形されており、前記カムスライダの上面から突出して後方へ折れ曲がり、前記ディスクトレイが前記収納位置にあるときに先端部が後方より前記突部を宛がわれる突片が前記カムスライダと一体成形されている。
【００２５】
このような構成にすれば、ディスクトレイがメインシャーシ内の収納位置にある状態で、乱雑な取扱いを受けて、ディスクトレイが引き出す方向である前方に無理に移動させられた場合、カムスライダにおける突片の先端部がディスクトレイにおける突部に接触するようになり、これにより、第１の凸軸や第２の凸軸が第１の案内溝の左右方向溝や第２の案内溝の左右方向溝から不用意に外れしまうことがなくなる。
【００２６】
また、上記目的を達成するための本発明による光ディスク装置は、メインシャーシと、このメインシャーシ内に収納された収納位置と前記メインシャーシの前面から突出した突出位置との間を前後方向に進退するディスクトレイと、このディスクトレイ上に載置されて前記メインシャーシ内に収納された光ディスクの下面に対し、前記メインシャーシに支持された後部を支点に回動して昇降するトラバースシャーシと、前記メインシャーシの前部で左右方向にスライド移動可能に前記メインシャーシに支持され、左右方向へのスライド移動によって前記トラバースシャーシを昇降させるカムスライダと、を含む光ディスク装置である。前記カムスライダの上面には、上方に向けて突出する左右に一対の第１、第２の凸軸が設けられている。前記ディスクトレイの下面には、前記ディスクトレイが前記収納位置にあるときに前記第１の凸軸が係合する左右方向溝、この左右方向溝の端から斜め後方へ延び出し前記ディスクトレイが前記収納位置近傍にあるときに前記第１の凸軸が係合する傾斜溝、及び、この傾斜溝の端に連続し前記ディスクトレイが進退するときに前記第１の凸軸が係合する前後方向溝、より成る第１の案内溝と、前記ディスクトレイが前記収納位置にあるときに前記第２の凸軸が係合する左右方向溝、及び、この左右方向溝の端から斜め後方へ延び出して開放され前記ディスクトレイが前記収納位置近傍にあるときに前記第２の凸軸が係合する傾斜溝、より成る第２の案内溝と、がそれぞれ設けられている。そして、前記第１、第２の案内溝のうちの少なくとも一方における前記左右方向溝の後方に、前記ディスクトレイの下面から突出する突部を設けており、前記カムスライダの上面から突出し、前記ディスクトレイが前記収納位置にあるときに先端部が後方より前記突部を宛がわれる突片を設けている。
【００２７】
このような構成にすれば、ディスクトレイがメインシャーシ内の収納位置にある状態で、乱雑な取扱いを受けて、ディスクトレイが引き出す方向である前方に無理に移動させられた場合、カムスライダにおける突片の先端部がディスクトレイにおける突部に接触するようになり、これにより、第１の凸軸や第２の凸軸が第１の案内溝の左右方向溝や第２の案内溝の左右方向溝から不用意に外れしまうことがなくなる。
【００２８】
ここで、第１の凸軸や第２の凸軸が第１の案内溝の左右方向溝や第２の案内溝の左右方向溝から不用意に外れしまうことをより有効に抑える観点から、前記突片が後方へ折れ曲がっていることが好ましい。
【００２９】
また、製造コストを抑えつつ、簡単にディスクトレイの突部及びカムスライダの突片を得る観点から、前記突部が前記ディスクトレイと一体成形されており、前記突片が前記カムスライダと一体成形されていることが好ましい。
【発明の効果】
【００３０】
本発明の光ディスク装置によれば、ディスクトレイが収納位置にある状態で、引き出す方向に無理に移動させられた場合であっても、第１、第２の凸軸が第１、第２の案内溝の左右方向溝から不用意に外れしまうことがなくなるため、安定してディスクトレイを開閉できる。
【発明を実施するための最良の形態】
【００３１】
以下に、本発明の光ディスク装置の一実施形態について図面を参照しながら詳述する。図１、図３は本発明の一実施形態である光ディスク装置の上面図であって、図１はディスクトレイが収納位置にある状態を示し、図２はディスクトレイが突出位置にある状態を示し、図３はディスクトレイが収納位置近傍にある状態を示している。図４、図５はその光ディスク装置の要部を示す断面図であって、図４は正規の状態を示し、図５はディスクトレイが引き出す方向に無理に移動させられた状態を示している。なお、図中で図６〜図１０と同じ名称で同じ機能を果たす部分には同一の符号を付し、重複する説明は適宜省略する。
【００３２】
本実施形態では、メインシャーシ１、ディスクトレイ３は、例えばポリスチレン（ＰＳ）等の合成樹脂で成形されるものである。トラバースシャーシ２は、例えばポリフェニレンエーテル（ＰＰＥ）等の合成樹脂で成形されるものである。カムスライダ４は、例えばポリアセタール（ＰＯＭ）等の合成樹脂で成形されるものである。
【００３３】
ディスクトレイ３の下面には、第２の案内溝３３における左右方向溝３３ａの後方に、突部３６が設けられている。ここでの突部３６はディスクトレイ３と一体成形される。
【００３４】
一方カムスライダ４の上面には、その突部３６に対応して突片４４が設けられている。ここでの突片４４は、カムスライダ４の上面から一旦突出した後に後方へ折れ曲がっており、ディスクトレイ３が収納位置にあるときに、特に、トラバースシャーシ２が最上昇した状態でカムスライダ４のラック４１と従動ギア７との噛合いが外れた状態にあるときに、その先端部が後方よりディスクトレイ３の突部３６を宛がわれるように、カムスライダ４と一体成形される。
【００３５】
このような構成にすれば、図１、図４に示すように、記録／再生中や停機中のようにディスクトレイ３がメインシャーシ１内の収納位置にある状態で、ディスクトレイ３を強引に引き出す等乱雑な取扱いを受けた場合、図５に示すように、ディスクトレイ３が引き出す方向（前方）に無理に移動させられるが、その際、第１の凸軸４２や第２の凸軸４３が、それぞれ第１の案内溝３２を形成する突条３４や第２の案内溝３３を形成する突条３５を乗り越える前に、カムスライダ４における突片４４の先端部がディスクトレイ３における突部３６に接触するようになる。これにより、第１の凸軸４２や第２の凸軸４３が第１の案内溝３２の左右方向溝３２ａや第２の案内溝３３の左右方向溝３３ａから不用意に外れしまうことがなくなる。従って、安定してディスクトレイ３を開閉できる。
【００３６】
また、本実施形態では、カムスライダ４における突片４４が後方へ折れ曲がっているため、ディスクトレイ３における突部３６に接触し得るその先端部から第１の凸軸４２や第２の凸軸４３までの前後方向のスパンを十分に確保でき、その結果、第１の凸軸４２や第２の凸軸４３が第１の案内溝３２の左右方向溝３２ａや第２の案内溝３３の左右方向溝３３ａから不用意に外れしまうことをより有効に抑えることが可能になる。
【００３７】
しかも、本実施形態では、ディスクトレイ３と一体で突部３６が成形され、カムスライダ４と一体で突片４４が成形されるため、その成形にあたっては、金型の彫込み形状を局部的に修正することで簡単に得られ、製造コストも抑えられる。
【００３８】
その他本発明は上記の実施形態に限定されず、本発明の趣旨を逸脱しない範囲で、種々の変更が可能である。例えば、上記の実施形態ではディスクトレイ３の突部３６を第２の案内溝３３における左右方向溝３３ａの後方に設けているが、配設スペースが許される限り、第１の案内溝３２における左右方向溝３２ａの後方に設けてもよいし、両方の左右方向溝３２ａ、３３ａの後方に設けてもよい。また、カムスライダ４の突片４４の形状は、カムスライダ４の上面から単に突出した形状であっても構わない。
【産業上の利用可能性】
【００３９】
本発明は、光ディスクに対して情報の再生や記録を行うための光ディスク装置に有用である。
【図面の簡単な説明】
【００４０】
【図１】光ディスク装置の上面図であって、ディスクトレイが収納位置にある状態を示す。
【図２】光ディスク装置の上面図であって、ディスクトレイが突出位置にある状態を示す。
【図３】光ディスク装置の上面図であって、ディスクトレイが収納位置近傍にある状態を示す。
【図４】光ディスク装置の要部を示す断面図であって、正規の状態を示す。
【図５】光ディスク装置の要部を示す断面図であって、ディスクトレイが引き出す方向に無理に移動させられた状態を示す。
【図６】従来の光ディスク装置の上面図であって、ディスクトレイが収納位置にある状態を示す。
【図７】従来の光ディスク装置の上面図であって、ディスクトレイが突出位置にある状態を示す。
【図８】従来の光ディスク装置の上面図であって、ディスクトレイが収納位置近傍にある状態を示す。
【図９】従来の光ディスク装置の要部を示す断面図であって、正規の状態を示す。
【図１０】従来の光ディスク装置の要部を示す断面図であって、ディスクトレイが引き出す方向に無理に移動させられた状態を示す。
【符号の説明】
【００４１】
１    メインシャーシ
２    トラバースシャーシ
３    ディスクトレイ
４    カムスライダ
５    光ヘッド
６    駆動ギア
７    従動ギア
８    伝達ギア
９    トレイ用伝達ギア
３１    トレイ用ラック
３２    第１の案内溝
３２ａ    左右方向溝
３２ｂ    傾斜溝
３２ｃ    前後方向溝
３３    第２の案内溝
３３ａ    左右方向溝
３３ｂ    傾斜溝
３４    突条
３５    突条
３６    突部
４１    ラック
４２    第１の凸軸
４３    第２の凸軸
４４    突片
５１    スライドラック
【図１】
2007164854.tif 000003
【図２】
2007164854.tif 000004
【図３】
2007164854.tif 000005
【図４】
2007164854.tif 000006
【図５】
2007164854.tif 000007
【図６】
2007164854.tif 000008
【図７】
2007164854.tif 000009
【図８】
2007164854.tif 000010
【図９】
2007164854.tif 000011
【図１０】
2007164854.tif 000012